(57)【要約】【課題】小型化を図る上で有利なレンズ鏡筒および撮像装置を提供する。【解決手段】第２鏡筒分割体１２０４と第３鏡筒分割体１２０６とは右側面寄りの箇所で雄ねじ２０４により取着されている。雌ねじ部材４８と支持板３４０８と雄ねじ２０４とは、光学系の光軸方向と平行する方向から見て雄ねじ２０４の頭部２０４Ａの輪郭と雌ねじ部材４８の輪郭とが重複し、かつ、雄ねじ２０４の頭部２０４の輪郭が支持板３４０８の輪郭の外側に位置するように配置されている。【選択図】        図１０
2005122066.tif 000002
【特許請求の範囲】
【請求項１】
長さを有する鏡筒と、
前記鏡筒の内部の部品収容空間に設けられた撮像素子と、
前記鏡筒の内部の部品収容空間に設けられ被写体像を前記撮像素子に導く光学系とを備え、
前記鏡筒は前記長さ方向に分割された第１の鏡筒分割体と第２の鏡筒分割体とを有し、
前記光学系は、前記第１の鏡筒分割体の部品収容空間に設けられ該光学系の光軸方向に移動可能に設けられた可動レンズ群と、前記可動レンズ群を移動可能に支持する案内機構とを有し、
さらに、前記第１の鏡筒分割体には前記可動レンズ群を移動させる駆動手段が設けられ、
前記駆動手段は、前記第１の鏡筒分割体の部品収容空間内で前記光軸方向に平行し前記第１の鏡筒分割体の長さ方向に沿って延在し回転駆動される雄ねじ部材と、前記雄ねじ部材を支持するホルダと、前記可動レンズ群の部分に前記光軸方向に移動不能に結合されるとともに前記雄ねじ部材にねじ結合される雌ねじ部材とを有し、
前記ホルダは、第１の鏡筒分割体の部品収容空間に配設され前記雄ねじ部材の先端を支持し前記第１の鏡筒分割体の前記第２の鏡筒分割体寄りの壁部に臨む支持板を有し、
前記第１の鏡筒分割体と第２の鏡筒分割体とは、第１の鏡筒分割体側から前記壁部に挿通され第１の鏡筒分割体の部品収容空間内で前記壁部に頭部が位置する雄ねじにより締結され、
前記雌ねじ部材と支持板と雄ねじとは、前記光学系の光軸方向と平行する方向から見て前記雄ねじの頭部の輪郭と前記雌ねじ部材の輪郭とが重複し、かつ、前記雄ねじの頭部の輪郭が前記支持板の輪郭の外側に位置するように配置されている、
ことを特徴とするレンズ鏡筒。
【請求項２】
前記鏡筒は、幅および長さ並びに厚さを有する平板形状に形成され、前記駆動手段は前記第１の鏡筒分割体の幅方向の端部に設けられていることを特徴とする請求項１記載のレンズ鏡筒。
【請求項３】
前記可動レンズ群は可動レンズと、この可動レンズを支持するレンズ枠とを有し、前記雌ねじ部材は前記レンズ枠に着脱可能に結合されることを特徴とする請求項１記載のレンズ鏡筒。
【請求項４】
前記鏡筒は、幅および長さ並びに厚さを有する平板形状に形成され、前記第１の鏡筒分割体の幅方向の端部に該第１の鏡筒分割体の長さ方向に延在し前記部品収容空間に連通する欠部が設けられ、前記雄ねじ部材は前記支持板とともに前記欠部を通して前記第１の鏡筒分割体の部品収容空間の幅方向の端部に配置されていることを特徴とする請求項１記載のレンズ鏡筒。
【請求項５】
前記可動レンズ群は可動レンズと、この可動レンズを支持するレンズ枠とを有し、前記雌ねじ部材は前記レンズ枠に着脱可能に結合され、前記鏡筒は、幅および長さ並びに厚さを有する平板形状に形成され、前記鏡筒は幅方向の両端に位置する前面および背面を有し、前記駆動手段は前記第１の鏡筒分割体の幅方向の端部に設けられ、前記駆動手段が設けられた前記第１の鏡筒分割体の端部寄りの前記前面の箇所または前記背面の箇所には、前記部品収容空間に連通し前記雌ねじ部材を前記レンズ枠に着脱するための開口が設けられていることを特徴とする請求項１記載のレンズ鏡筒。
【請求項６】
前記駆動手段は、前記ホルダにより支持され前記雄ねじ部材を回転駆動するモータを有し、前記雄ねじ部材の基部は前記モータに連結されていることを特徴とする請求項１記載のレンズ鏡筒。
【請求項７】
前記案内機構は、前記部品収容空間内で前記可動レンズ群の光軸方向に平行して延在し前記可動レンズ群の部分に係合した状態で該可動レンズ群を前記可動レンズの光軸方向に案内する２本のガイド軸を有していることを特徴とする請求項１記載のレンズ鏡筒。
【請求項８】
長さを有する鏡筒と、
前記鏡筒の内部の部品収容空間に設けられた撮像素子と、
前記鏡筒の内部の部品収容空間に設けられ被写体像を前記撮像素子に導く光学系とを備えたレンズ鏡筒を有する撮像装置であって、
前記鏡筒は前記長さ方向に分割された第１の鏡筒分割体と第２の鏡筒分割体とを有し、
前記光学系は、前記第１の鏡筒分割体の部品収容空間に設けられ該光学系の光軸方向に移動可能に設けられた可動レンズ群と、前記可動レンズ群を移動可能に支持する案内機構とを有し、
さらに、前記第１の鏡筒分割体には前記可動レンズ群を移動させる駆動手段が設けられ、
前記駆動手段は、前記第１の鏡筒分割体の部品収容空間内で前記光軸方向に平行し前記第１の鏡筒分割体の長さ方向に沿って延在し回転駆動される雄ねじ部材と、前記雄ねじ部材を支持するホルダと、前記可動レンズ群の部分に前記光軸方向に移動不能に結合されるとともに前記雄ねじ部材にねじ結合される雌ねじ部材とを有し、
前記ホルダは、第１の鏡筒分割体の部品収容空間に配設され前記雄ねじ部材の先端を支持し前記第１の鏡筒分割体の前記第２の鏡筒分割体寄りの壁部に臨む支持板を有し、
前記第１の鏡筒分割体と第２の鏡筒分割体とは、第１の鏡筒分割体側から前記壁部に挿通され第１の鏡筒分割体の部品収容空間内で前記壁部に頭部が位置する雄ねじにより締結され、
前記雌ねじ部材と支持板と雄ねじとは、前記光学系の光軸方向と平行する方向から見て前記雄ねじの頭部の輪郭と前記雌ねじ部材の輪郭とが重複し、かつ、前記雄ねじの頭部の輪郭が前記支持板の輪郭の外側に位置するように配置されている、
ことを特徴とする撮像装置。
【発明の詳細な説明】
【技術分野】
【０００１】
本発明はレンズ鏡筒および撮像装置に関する。
【背景技術】
【０００２】
従来から、可動レンズ群と、この可動レンズ群が組み込まれる鏡筒と、可動レンズ群を光軸方向に移動させる駆動手段とが設けられたレンズ鏡筒が提供されている。
この種の駆動手段は、光軸方向に平行して延在し回転駆動される雄ねじ部材と、前記雄ねじ部材を支持するホルダと、前記可動レンズ群の部分に前記光軸方向に移動不能に結合されるとともに前記雄ねじ部材にねじ結合される雌ねじ部材とを有している。
そして、ホルダは前記雄ねじ部材の先端を支持する支持板を有し、この支持板と前記雌ねじ部材とは可動レンズ群が組み込まれた部品収容空間内に配設されている（例えば特許文献１参照）。
一方、鏡筒を光軸方向に分割した複数の分割体で構成した場合、これら分割体の締結は、各分割体に光軸方向と直交する方向にフランジを設け、これらフランジをねじで締結することが考えられる。
【特許文献１】特許第２８４１６７９号
【発明の開示】
【発明が解決しようとする課題】
【０００３】
しかしながら、このようにフランジを設けたのでは鏡筒の小型化を図る上で不利がある。
本発明は、前記部品収容空間の内部の前記支持板や雌ねじ部材の配設箇所に着目して案出されたものであって、本発明の目的は小型化を図る上で有利なレンズ鏡筒および撮像装置を提供することにある。
【課題を解決するための手段】
【０００４】
上述の目的を達成するため、本発明のレンズ鏡筒は、長さを有する鏡筒と、前記鏡筒の内部の部品収容空間に設けられた撮像素子と、前記鏡筒の内部の部品収容空間に設けられ被写体像を前記撮像素子に導く光学系とを備え、前記鏡筒は前記長さ方向に分割された第１の鏡筒分割体と第２の鏡筒分割体とを有し、前記光学系は、前記第１の鏡筒分割体の部品収容空間に設けられ該光学系の光軸方向に移動可能に設けられた可動レンズ群と、前記可動レンズ群を移動可能に支持する案内機構とを有し、さらに、前記第１の鏡筒分割体には前記可動レンズ群を移動させる駆動手段が設けられ、前記駆動手段は、前記第１の鏡筒分割体の部品収容空間内で前記光軸方向に平行し前記第１の鏡筒分割体の長さ方向に沿って延在し回転駆動される雄ねじ部材と、前記雄ねじ部材を支持するホルダと、前記可動レンズ群の部分に前記光軸方向に移動不能に結合されるとともに前記雄ねじ部材にねじ結合される雌ねじ部材とを有し、前記ホルダは、第１の鏡筒分割体の部品収容空間に配設され前記雄ねじ部材の先端を支持し前記第１の鏡筒分割体の前記第２の鏡筒分割体寄りの壁部に臨む支持板を有し、前記第１の鏡筒分割体と第２の鏡筒分割体とは、第１の鏡筒分割体側から前記壁部に挿通され第１の鏡筒分割体の部品収容空間内で前記壁部に頭部が位置する雄ねじにより締結され、前記雌ねじ部材と支持板と雄ねじとは、前記光学系の光軸方向と平行する方向から見て前記雄ねじの頭部の輪郭と前記雌ねじ部材の輪郭とが重複し、かつ、前記雄ねじの頭部の輪郭が前記支持板の輪郭の外側に位置するように配置されていることを特徴とする。
また、本発明の撮像装置は、長さを有する鏡筒と、前記鏡筒の内部の部品収容空間に設けられた撮像素子と、前記鏡筒の内部の部品収容空間に設けられ被写体像を前記撮像素子に導く光学系とを備えたレンズ鏡筒を有する撮像装置であって、前記鏡筒は前記長さ方向に分割された第１の鏡筒分割体と第２の鏡筒分割体とを有し、前記光学系は、前記第１の鏡筒分割体の部品収容空間に設けられ該光学系の光軸方向に移動可能に設けられた可動レンズ群と、前記可動レンズ群を移動可能に支持する案内機構とを有し、さらに、前記第１の鏡筒分割体には前記可動レンズ群を移動させる駆動手段が設けられ、前記駆動手段は、前記第１の鏡筒分割体の部品収容空間内で前記光軸方向に平行し前記第１の鏡筒分割体の長さ方向に沿って延在し回転駆動される雄ねじ部材と、前記雄ねじ部材を支持するホルダと、前記可動レンズ群の部分に前記光軸方向に移動不能に結合されるとともに前記雄ねじ部材にねじ結合される雌ねじ部材とを有し、前記ホルダは、第１の鏡筒分割体の部品収容空間に配設され前記雄ねじ部材の先端を支持し前記第１の鏡筒分割体の前記第２の鏡筒分割体寄りの壁部に臨む支持板を有し、前記第１の鏡筒分割体と第２の鏡筒分割体とは、第１の鏡筒分割体側から前記壁部に挿通され第１の鏡筒分割体の部品収容空間内で前記壁部に頭部が位置する雄ねじにより締結され、前記雌ねじ部材と支持板と雄ねじとは、前記光学系の光軸方向と平行する方向から見て前記雄ねじの頭部の輪郭と前記雌ねじ部材の輪郭とが重複し、かつ、前記雄ねじの頭部の輪郭が前記支持板の輪郭の外側に位置するように配置されていることを特徴とする。
【発明の効果】
【０００５】
そのため、本発明によれば、雌ねじ部材と支持板と雄ねじとは、光学系の光軸方向と平行する方向から見て雄ねじの頭部の輪郭と雌ねじ部材の輪郭とが重複し、かつ、雄ねじの頭部の輪郭が支持板の輪郭の外側に位置するように配置されている。
したがって、デッドスペースである雌ねじ部材の上方の隙間を利用して、第１、第２の鏡筒分割体を締結する雄ねじの頭部が支持板に干渉することなく部品収容空間内に配置されており、光軸方向に沿った部品収容空間の長さおよび第２の鏡筒分割体の長さを短縮し、これによりレンズ鏡筒をコンパクト化する上で有利となる。
また、雄ねじは部品収容空間に配置されるので、第１、第２の鏡筒分割体締結用の雄ねじを配設するにあたり、第１、第２の鏡筒分割体に光軸方向と直交する方向に突出するフランジなどの突出部を設ける必要が無くなり、したがって、鏡筒の小型化を図る上で、また、鏡筒を撮像装置に組み込む際に鏡筒周囲に生じるデッドスペースを無くす上で有利となる。
【発明を実施するための最良の形態】
【０００６】
無駄なスペースの発生を抑制するとともに小型化を図るという目的を、幅および長さ並びに厚さを有する平板形状の鏡筒を採用し、かつ、この鏡筒の内部に可動レンズ群とメインガイド軸とサブガイド軸とを効率的に配置することによって実現した。
【実施例１】
【０００７】
次に本発明の実施例１について図面を参照して説明する。
本実施例では、本発明のレンズ鏡筒が撮像装置に組み込まれている場合について説明する。
図１は実施例１の撮像装置を前方から見た斜視図、図２は実施例１の撮像装置を後方から見た斜視図、図３は実施例１の撮像装置を下方から見た斜視図、図４はメモリカードおよびバッテリーの収容状態を説明する説明図、図５は撮像装置の制御系を示すブロック図である。
図１、図２に示すように、撮像装置１００はデジタルスチルカメラであって、外装を構成する矩形板状のケース１０２を有し、ケース１０２は、前側ケース１０２Ａと後側ケース１０２Ｂとが合わせられて構成され、前側ケース１０２Ａによりケース１０２の前面が構成され、後側ケース１０２Ｂによりケース１０２の後面が構成されている。なお、本明細書においてケース１０２の左右はケース１０２を前方から見た状態でいうものとする。
ケース１０２の右側部には、図中二点鎖線で示すように、本発明に係るレンズ鏡筒１０が組み込まれており、レンズ鏡筒１０には、対物レンズ１４と、撮像素子１２８と、対物レンズ１４で捉えた被写体像を撮像素子１２８に導く光学系１０４などが設けられている。
対物レンズ１４は前側ケース１０２Ａに設けられたレンズ窓１０３を介してケース１０２前方に臨んで配置されている。
ケース１０２の前面右寄りの箇所には、撮影補助光を出射するフラッシュ１０８、セルフタイマーランプ１１０などが設けられている。
ケース１２の前面にはカバー１１２が上下にスライド可能に設けられ、このカバー１１２は、図１に示すようにレンズ窓１０３、フラッシュ１０８、セルフタイマーランプ１１０を前方に露出させる下限位置と、これらレンズ窓１０３、フラッシュ１０８、セルフタイマーランプ１１０を覆う上限位置とにスライドされる。
ケース１２の上面の左寄り箇所には、シャッターボタン１１４、電源ボタン１１６などが設けられている。
ケース１２の後面には静止画および動画などの画像や文字や記号などが表示されるディスプレイ１１８（液晶表示器）、撮影光学系１０４のズーミング動作を行なわせるためのズームスイッチ１２０、各種操作を行なうための十字スイッチ１２２および複数の操作ボタン１２４が設けられている。
ケース１２の左側面には、撮像装置１００を静止画撮影モード、動画撮影モード、再生・編集モードなどに切り替えるためのモードスイッチ１２６が設けられている。
図３、図４に示すように、ケース１０２の下面には、静止画あるいは動画などの画像などを記録するためのメモリカード１３２を装脱可能に収容するメモリ収容室１０２Ａと、撮像装置１００の電源を構成するバッテリー１３８を装脱可能に収容するバッテリー収容室１０２Ｂとがケース１２の前後方向（厚さ方向）に並べて設けられている。これらメモリ収容室１０２Ａ、バッテリー収容室１０２Ｂはケース１０２の下面にヒンジを介して連結された開閉蓋１０２Ｃによって開閉される。
【０００８】
図５に示すように、撮像素子１２８は、光学系１０４によって結像された被写体像を撮像するＣＣＤやＣＭＯＳセンサなどで構成されている。
撮像素子１２８で撮像された像は撮像信号として画像処理部１３０に出力され、画像処理部１３０ではこの撮像信号に基づいて静止画あるいは動画の画像データが生成され、メモリカード（記憶媒体）１３２に記録される。また、前記画像データは表示処理部１３４によりディスプレイ１１８に表示される。
さらに、撮像装置１００は、シャッタボタン１１４、十字スイッチ１２２、操作ボタン１２４、モードスイッチ１２６の操作に応じて、画像処理部１３０、表示処理部１３４を制御するＣＰＵなどを含む制御部１３６を備えている。
【０００９】
図６はレンズ鏡筒１０を斜め前方から見た斜視図、図７はレンズ鏡筒１０を斜め後方から見た斜視図、図８はレンズ鏡筒１０の一部の構成を示す分解斜視図、図９はレンズ鏡筒１０の残りの構成を示す分解斜視図、図１０は図６のＸＸ線断面図、図１１は図６のＹＹ線断面図、図１２はレンズ鏡筒１０の左側部分の断面斜視図、図１３はレンズ鏡筒１０の右側部分の断面斜視図、図１４は第１鏡筒分割体１２０２の横断面図、図１５は第２鏡筒分割体１２０４の横断面図、図１６はズーム用可動レンズ群１８、フォーカス用可動レンズ群２０の斜視図、図１７は第２鏡筒分割体１２０４の要部の断面斜視図である。
【００１０】
図６乃至図９に示すように、レンズ鏡筒１０は、鏡筒１２と、対物レンズ１４と、撮像素子１２８と、光学系１０４とを含んで構成されている。
本実施例では、光学系１０４は、反射部材１６と、ズーム用可動レンズ群１８と、フォーカス用可動レンズ群２０と、第１の固定レンズ群２２と、第２の固定レンズ群２４と、第３の固定レンズ群２６と、ズーム用可動レンズ群１８用の案内機構２８と、フォーカス用可動レンズ群２０用の案内機構３０とを備えている。
さらに、ズーム用可動レンズ群１８を移動させる駆動手段３２と、フォーカス用可動レンズ群２０を移動させる駆動手段３４とが設けられている。
【００１１】
図６、図７に示すように、鏡筒１２は、全体として幅および長さ並びに厚さを有する平板形状を呈しており、対物レンズ１４と撮像素子１２８と光学系１０４とは鏡筒１２の幅方向の中央部で鏡筒１２の長さ方向に沿って並べられて配置されている。
鏡筒１２は、長さ方向において分割された第１鏡筒分割体１２０２および第２鏡筒分割体１２０４と、これら２つの鏡筒分割体１２０２，１２０４の間に挟まれる第３鏡筒分割体１２０６とで構成され、鏡筒１２の長手方向の一方の半部に第１鏡筒分割体１２０２が位置し、鏡筒１２の長手方向方の他方の半部に第２鏡筒分割体１２０４が位置し、これら第１鏡筒分割体１２０２および第２鏡筒分割体１２０４の間に第３鏡筒分割体１２０８が介在されている。
なお、本実施例では、図１に示すように、鏡筒１２の長さ方向が上下方向に向けて配置されることから、鏡筒１２の上部に第１鏡筒分割体１２０２が位置し、鏡筒１２の下部に第２鏡筒分割体１２０４が位置し、鏡筒１２の上下方向の中央部に第３鏡筒分割体１２０８が位置している。そして、撮像装置１００のケース１０２の前面に平行する鏡筒１２の厚さ方向の一方の面が鏡筒１２の前面となり、ケース１０２の後面に平行する他方の面が鏡筒１２の後面となり、鏡筒１２の幅方向の一方の面が左側面となり、他方の面が右側面となる。また、本実施例では、これら第１、第２、第３鏡筒分割体１２０２、１２０４、１２０６は合成樹脂材料によって形成されている。
【００１２】
図８、図１０乃至図１３に示すように、第１鏡筒分割体１２０２の内部には、断面が矩形で下面に開放状の部品収容空間１２０２Ａが設けられており、対物レンズ１４はその前面側にレンズ押え１４０２が位置し後面側に遮光枠１４０４が位置した状態で、第１鏡筒分割体１２０２の前面の上部でかつ幅方向の中央部に取着されている。
反射部材１６は、対物レンズ１４で捉えた像を下部に向けて（撮像素子１２８側に）反射させるもので本実施例ではプリズムが用いられている。反射部材１６は、部品収容空間１２０２Ａで対物レンズ１４に臨む箇所に配置されている。
第１の固定レンズ群２２とズーム用可動レンズ群１８とは、部品収容空間１２０２Ａ内で反射部材１６の下方に配置されている。
第１の固定レンズ群２２は、第１鏡筒分割体１２０２の取付部に組み込まれる第１の固定レンズ２２０２と、この第１の固定レンズ２２０２を前記取付部に固定させる押え部材（遮光枠を兼ねる）２２０４とで構成されている。
【００１３】
図８に示すように、ズーム用可動レンズ群１８は、第１のズームレンズ１８０２と、互いに貼り合わされた第２、第３のズームレンズ１８０４、１８０５と、これら第１、第２、第３のズームレンズ１８０２、１８０４、１８０５の外周部をカシメにより支持したズーム用レンズ枠１８０６とを有している。
図１４に示すように、鏡筒１２の厚さ方向の両端に位置する第１、第２、第３のズームレンズ１８０２、１８０４、１８０５の部分はそれぞれ切り取られ、これにより鏡筒１２の厚さ方向の端部に位置する第１、第２、第３のズームレンズ１８０２、１８０４、１８０５の両端には、鏡筒１２の前面および後面に平行して直線状に延在する縁部１８０８が設けられている。
ズーム用レンズ枠１８０６は、第１、第２、第３のズームレンズ１８０２、１８０４、１８０５の周囲に位置しこれら第１、第２、第３のズームレンズ１８０２、１８０４、１８０５を保持する保持部１８１０と、この保持部１８１０から部品収容空間１２０２Ａ内の幅方向に延在する延在部１８１２とを有している。
保持部１８１０には、第１、第２、第３のズームレンズ１８０２、１８０４、１８０５の縁部１８０８に対応して鏡筒１２の前面および後面に平行して延在する直線部１８１４がそれぞれ設けられている。
図１６に示すように、延在部１８１２には、ロッド挿通孔１８１４が設けられ、また、鏡筒１２の長手方向において互いに対向するフランジ１８１６、１８１６が設けられ、これらフランジ１８１６、１８１６には、図８に示すように、軸３６０２、３６０２を介して雌ねじ３６０４を有する雌ねじ部材３６が鏡筒１２の長手方向に移動不能に結合される。
また、延在部１８１２とは反対側に位置する保持部１８１０の箇所で部品収容空間１２０２Ａの隅部１２０２Ｂ（本実施例では左側面と後面とが交わる箇所）に位置する箇所に係合溝１８１８が形成されている。
【００１４】
ロッド挿通孔１８１４には、第１鏡筒分割体１２０２の長さ方向に延在する金属製のメインガイド軸３８が滑動可能に挿通されている。このメインガイド軸３８はその長さ方向の両端が第１鏡筒分割体１２０２の上面を構成する壁部と、第３鏡筒分割体１２０６の壁部とで支持されている。メインガイド軸３８は第１、第２、第３のズームレンズ１８０２、１８０４、１８０５の光軸と平行して延在しており、本実施例では第１鏡筒分割体１２０２の長さ方向に延在している。したがって、メインガイド軸３８はズーム用可動レンズ群１８を該ズーム用可動レンズ群１８の光軸方向に案内している。
係合溝１８１８には、第１鏡筒分割体１２０２の長さ方向に延在するサブガイド軸４０が滑動可能に挿通されている。したがって、サブガイド軸４０はズーム用レンズ群１８がメインガイド軸３８の回りに回転することを阻止している。サブガイド軸４０は第１鏡筒分割体１２０２と一体に形成されており、したがって、合成樹脂製である。サブガイド軸４０は、詳細には、部品収容空間１２０２Ａの隅部１２０２Ｂから突出する脚部４００２と、この脚部４００２の先端に設けられた軸状部分４００４とで構成されている。サブガイド軸４０は第１、第２、第３のズームレンズ１８０２、１８０４、１８０５の光軸と平行して延在しており、本実施例では第１鏡筒分割体１２０２の長さ方向に延在している。
ズーム用可動レンズ群１８用の案内機構２８は、これらメインガイド軸３８とサブガイド軸４０によって構成されている。
【００１５】
図８、図１６に示すように、ズーム用可動レンズ群１８を移動させる駆動手段３２は、鏡筒１２の長さ方向に延在するホルダ３２０２と、ホルダ３２０２の上部に設けられたモータ３２０４と、ホルダ３２０２に沿って延在しモータ３２０４により回転駆動される雄ねじ部材３２０６とを有している。
ホルダ３２０２は第１鏡筒分割体１２０２の右側面の欠部に取着され、これにより雄ねじ部材３２０６が部品収容空間１２０２Ａに位置し、モータ３２０４は第１鏡筒分割体１２０２の上面に位置する。
雄ねじ部材３２０６は雌ねじ部材３６の雌ねじ３６０４に螺合され、したがってモータ３２０４の正逆転によりズーム用可動レンズ群１８はメインガイド軸３８およびサブガイド軸４０に案内されつつそれらの光軸方向に沿って往復移動される。
本実施例では、図１４に示すように、ズーム用可動レンズ群１８とメインガイド軸３８と雄ねじ部材３２０６とが第１鏡筒分割体１２０２の内部で第１鏡筒分割体１２０２の幅方向に並べられて配置され、サブガイド軸４０はメインガイド軸３８および雄ねじ部材３２０６とは反対側に位置するズーム用レンズ枠１８０６箇所に配置されることになる。
【００１６】
図８に示すように、第３鏡筒分割体１２０６は、部品収容空間１２０２Ａおよび第２鏡筒分割体１２０４の部品収容空間１２０４Ａに臨む内部部分１２０６Ａと、部品収容空間１２０２Ａ、１２０４Ａ外に位置する外部部分１２０６Ｂとを有している。
第２の固定レンズ群２４は、その光軸をズーム用可動レンズ群１８の光軸と一致させて内部部分１２０６Ａに取着され、また、第２固定レンズ群２４の後面にアイリス（絞り）４２が配置されている。このアイリス４２は、第３鏡筒分割体１２０６の外部部分１２０６Ｂに取着された駆動部４４により開閉される。
本実施例では、図１８に示すように、サブガイド軸４０は第１鏡筒分割体１２０２の下面よりも下方に突出され、より詳細には第１鏡筒分割体１２０２が第３鏡筒分割体１２０６に合わされる合わせ面よりも下方に突出され、このサブガイド軸４０の突出部分４０Ａが、第３鏡筒分割体１２０６の合わせ面の孔１２０６Ａに嵌合されることで第１鏡筒分割体１２０２と第３鏡筒分割体１２０６との位置決めがなされている。
【００１７】
第２鏡筒分割体１２０４の内部には、本実施例では、上下に開放された断面が矩形の部品収容空間１２０４Ａが形成されており、第２鏡筒分割体１２０４の下部に撮像素子取付板４６が取着されることでこの部品収容空間１２０４Ａの下端は閉塞されている。したがって、本実施例では、第２鏡筒分割体１２０４は撮像素子取付板４６を含んで構成されている。フォーカス用可動レンズ群２０と第３の固定レンズ群２６は、部品収容空間１２０４Ａ内で第２鏡筒分割体１２０４の幅方向中央に位置する箇所に配置されている。
なお、図９に示すように、第２鏡筒分割体１２０４の右側面には、上壁１２０５（特許請求の範囲の壁部に相当）を残して欠部１２０４Ｅが形成され、この欠部１２０４Ｅはホルダ３４０２を取付けるためのものであり、欠部１２０４Ｅは上壁１４０５の下方に延在形成され、第２鏡筒分割体１２０４の右側面は、欠部１２０４Ｅを介して部品収容空間１２０４Ａに連通している。また、図１９に示すように、後述する雌ねじ部材４８をフォーカス用レンズ枠２００６に着脱するための開口１２１０が第２鏡筒分割体１２０４の欠部１２０４Ｅ寄りの前面箇所に設けられ、前記前面箇所は開口１２１０を介して部品収容空間１２０４Ａに連通している。
【００１８】
フォーカス用可動レンズ群２０は、互いに貼り合わされた第１、第２のフォーカスレンズ２００２、２００４と、これら第１、第２のフォーカスレンズ２００２、２００４を支持するフォーカス用レンズ枠２００６とを有している。
図１５に示すように、鏡筒１２の厚さ方向の両端に位置する第１、第２のフォーカスレンズ２００２、２００４の部分はそれぞれ切り取られ、これにより鏡筒１２の厚さ方向の端部に位置する第１、第２のフォーカスレンズ２００２、２００４の両端には、鏡筒１２の前面および後面に平行して直線状に延在する縁部２００８が設けられている。
フォーカス用レンズ枠２００６は、第１、第２のフォーカスレンズ２００２、２００４の周囲に位置しこれら第１、第２のフォーカスレンズ２００２、２００４を保持する保持部２０１０と、この保持部２０１０から部品収容空間１２０４Ａ内の幅方向に延在する延在部２０１２とを有している。
保持部２０１０には、第１、第２のフォーカスレンズ２００２、２００４の縁部２００８に対応して鏡筒１２の前面および後面に平行して延在する直線部２０１４がそれぞれ設けられている。
また、図１５に示すように、延在部２０１２とは反対側に位置する保持部２０１０の箇所で部品収容空間１２０４Ａの隅部１４０２Ｂ（本実施例では左側面と後面とが交わる箇所）に位置する箇所に係合溝２０１８が形成されている。
【００１９】
図１５に示すように、延在部２０１２にはロッド挿通孔２０１４が設けられ、ロッド挿通孔２０１４には、第２鏡筒分割体１２０４の長さ方向に延在する金属製のメインガイド軸５０が滑動可能に挿通されている。このメインガイド軸５０はその長さ方向の両端が第３鏡筒分割体１２０６の壁部と、第２鏡筒分割体１２０４の下部に設けられた壁部とで支持されている。メインガイド軸５０は第１、第２のフォーカスレンズ２００２、２００４の光軸と平行して延在しており、本実施例では第２鏡筒分割体１２０４の長さ方向に延在している。したがって、メインガイド軸５０はフォーカス用可動レンズ群２０を該フォーカス用可動レンズ群２８の光軸方向に案内している。
係合溝２０１８には、第２鏡筒分割体１２０４の長さ方向に延在するサブガイド軸５２が滑動可能に挿通されている。したがって、サブガイド軸５２はフォーカス用レンズ群２０がメインガイド軸５０の回りに回転することを阻止している。サブガイド軸５２は第２鏡筒分割体１２０４と一体に形成されており、したがって、合成樹脂製である。サブガイド軸５２は、詳細には、部品収容空間１２０４Ａの隅部から突出する脚部５２０２と、この脚部５２０２の先端に設けられた軸状部分５２０４とで構成されている。サブガイド軸５２は第１、第２のフォーカスレンズ２００２、２００４の光軸と平行して延在しており、本実施例では第２鏡筒分割体１２０４の長さ方向に延在している。
フォーカス用可動レンズ群２０用の案内機構３０は、これらメインガイド軸３８とサブガイド軸４０によって構成されている。
なお、本実施の形態では、図１８に示すように、サブガイド軸５２は第２鏡筒分割体１２０４の上面よりも上方に突出され、より詳細には第２鏡筒分割体１２０４が第３鏡筒分割体１２０６に合わされる合わせ面よりも上方に突出され、このサブガイド軸５２の突出部分５２Ａが、第３鏡筒分割体１２０６の合わせ面の孔１２０６Ｂに嵌合されることで第２鏡筒分割体１２０４と第３鏡筒分割体１２０６の位置決めがなされている。
【００２０】
また、図１６に示すように、延在部２０１２には、鏡筒１２の長手方向において互いに対向する第１フランジ２０１６、第２フランジ２０１７が設けられ、これら第１、第２フランジ２０１６、２０１７には、図９、図２２に示すように、雌ねじ部材４８が鏡筒１２の長手方向に移動不能に結合される。
図１９は雌ねじ部材４８の斜視図、図２０（Ａ）は雌ねじ部材４８の正面図、（Ｂ）は（Ａ）のＢ矢視図、（Ｃ）は（Ａ）のＣ矢視図、（Ｄ）は（Ａ）のＤ矢視図、（Ｅ）は（Ａ）のＥ矢視図である。
図１９、図２０に示すように、雌ねじ部材４８は、その一側に二股部４８０２が設けられ、他側に雌ねじ４８０４が設けられており、二股部４８０２の外側にそれぞれ同軸状に第１軸４８１０と第２軸４８１２が設けられている。
雌ねじ４８０４は一側が開放状に形成されており、雄ねじ部材３４０６はこの開放された部分から雌ねじ４８０４に螺合される。
第１軸４８１０は二股部４８０２から突設された円錐面を有する円錐部４８１１と、この円錐部４８１１の先端に設けられた均一外径の軸部４８０６とで構成されている。
第２軸４８１２は、二股部４８０２から突設され断面が細長形状を呈する細長部４８１３と、この細長部４８１３の先端に設けられ断面が先端にいくにつれて縮小する傾斜部４８０８と、傾斜部４８０８の先端に設けられた断面が細長形状を呈する軸部４８１４とで構成されている。
細長部４８１３の長手方向の両端は円筒面からなる円筒状側面４８１６で形成され、前記細長部の長手方向と直交する両端は平坦な平坦面状側面４８１８で形成されている。
一方、図２１に示すように、フォーカス用レンズ枠２００６の第１フランジ２０１６には、第１軸４８１０が支持される均一内径の軸受孔２０１６Ａが設けられ、この軸受孔２０１６Ａの内径は第１軸４８１０の軸部４８０８が収容できる寸法で形成されている。
図２１、図２２に示すように、フォーカス用レンズ枠２００６の第２フランジ２０１７には、第２軸４８１２が支持される細長形状の軸受孔２０１７Ａが設けられ、この軸受孔２０１７Ａは、該軸受孔２０１７Ａの長手方向と第２軸４８１２の細長部４８１３の長手方向が一致した状態で該細長部４８１３を収容できる寸法で形成されている。
図２２に示すように、第２フランジ２０１７の軸受孔２０１７Ａはその長手方向が、開口１２１０から挿入した状態の雌ねじ部材４８の第２軸４８１２の細長部４８１３の長手方向と一致するように形成されている。
【００２１】
フォーカス用可動レンズ群２０を移動させる駆動手段３４は、鏡筒１２の長さ方向に延在するホルダ３４０２と、ホルダ３４０２の下部に支持されたモータ３４０４と、ホルダ３４０２に沿って延在しその基部がモータ３４０４に連結され該モータ３４０４により回転駆動される雄ねじ部材３４０６と、上述した雌ねじ部材４８とを備え、ホルダ３４０２は、雄ねじ部材３４０６に沿って延在する本体板部３４０７と、本体板部３４０７の先端に設けられ雄ねじ部材３４０６の先端を支持する支持板３４０８を有している。
雌ねじ部材４８はフォーカス用レンズ枠２００６に連結され、雄ねじ部材３４０６は雌ねじ部材４８の雌ねじ４８０４に螺合され、したがってモータ３４０４の正逆転によりフォーカス用可動レンズ群２０はメインガイド軸５０およびサブガイド軸５２に案内されつつそれらの光軸方向に沿って往復移動される。
したがって、本実施例では、フォーカス用可動レンズ群２０とメインガイド軸５０と雄ねじ部材３４０４とが第２鏡筒分割体１２０４の部品収容空間１２０４Ａ内で第２鏡筒分割体１２０４の幅方向に並べられて配置され、サブガイド軸５２はメインガイド軸５０および雄ねじ部材３０６とは反対側に位置するフォーカス用レンズ枠２００６箇所に配置されることになる。
第３の固定レンズ群２６は、フォーカス用可動レンズ群２０の下方の部品収容空間１２０４Ａ箇所に配置され、第２鏡筒分割体１２０４の取付部に組み込まれる第３の固定レンズ２６０２と、この第３の固定レンズ２６０２を前記取付部に固定させる押え部材２６０４とで構成されている。
【００２２】
撮像素子取付板４６は、部品収容空間１２０４Ａの下端を閉塞するように第２鏡筒分割体１２０４の下部にねじ２０６、２０６によって取着されている。
撮像素子１２８は、撮像素子取付板４６が部品収容空間１２０４Ａに臨む内面に配置されている。
本実施例では撮像素子取付板４６に矩形の窓４６０２が設けられ、この窓４６０２に撮像素子１２８が嵌め込まれて配置され、撮像素子取付板４６の内面で撮像素子１２８の上面にシールガラス４６０４、シールゴム４６０６およびローパスフィルタ４６０８が配置され、押さえ板４６１０によって固定されている。
【００２３】
なお、図１１、図１２、図１３、図１７に示すように、部品収容空間１２０４Ａに臨む第２鏡筒分割体１２０４の後面箇所で第２鏡筒分割体１２０４の上端と第２の固定レンズ群２４との間の箇所には凹凸部１２０４Ｃが設けられている。
また、部品収容空間１２０４Ａに臨む第２鏡筒分割体１２０４の後面箇所で第３の固定レンズ群２６と撮像素子１２８との間の箇所には凹凸部１２０４Ｄが設けられている。
これらの凹凸部１２０４Ｃ、１２０４Ｄは、対物レンズ１４、反射部材１６、第１の固定レンズ群２２、ズーム用可動レンズ群１８、第２固定レンズ群２４、フォーカス用可動レンズ群２０を介して進入してきた光のうち、部品収容空間１２０４Ａに臨む第２鏡筒分割体１２０４の後面箇所に到達した光が該後面箇所で反射されることで、いわゆるフレアあるいはゴーストと呼ばれる反射光が発生し、この反射光が撮像素子１２８の受光面に到達して撮像素子１２８の撮像信号に対して悪影響を及ぼすことを防止するために設けられている。特に、太陽などのように対物レンズ１４の光軸に対して斜め上方から入射する光源がある場合、その光源からの光線が上述した経路により第２鏡筒分割体１２０４の前記後面箇所に至るケースが多い。
なお、撮像素子１２８から遠い箇所に設けられた凹凸部１２０４Ｃの凹凸の間隔に対して撮像素子１２８から近い箇所に設けられた凹凸部１２０４Ｄの凹凸の間隔が大きく形成されている。これは、凹凸部１２０４Ｃに当たる前記光の角度に対して凹凸部１２０４Ｄに当たる前記光の角度がより小さいためであり、このように凹凸部１２０４Ｃ、１２０４Ｄの凹凸の間隔を変えることで、第２鏡筒分割体１２０４の成形時に金型からの取り外し性が向上される利点がある。
【００２４】
第１鏡筒分割体１２０２と第３鏡筒分割体１２０６とは図１４に示すように、駆動部４４近傍の箇所でねじ２０２により取着され、第２鏡筒分割体１２０４と第３鏡筒分割体１２０６とは図９に示すように、右側面寄りの箇所で雄ねじ２０４により取着されている。
本実施例では、第２鏡筒分割体１２０４と第３鏡筒分割体１２０６との取着に本発明が適用され、本実施例では、第２鏡筒分割体１２０４が特許請求の範囲の第１の鏡筒分割体に相当し、また、第３鏡筒分割体１２０６が特許請求の範囲の第２の鏡筒分割体に相当している。
そして、本実施例では、雌ねじ部材４８と支持板３４０８と雄ねじ２０４とは、図１５に示すように光学系１０４の光軸方向と平行する方向から見て雄ねじ２０４の頭部２０４Ａの輪郭と雌ねじ部材４８の輪郭とが重複し、かつ、雄ねじ２０４の頭部２０４の輪郭が支持板３４０８の輪郭の外側に位置するように配置されている。
【００２５】
次に、実施例１による鏡筒分割体の取付構造について説明する。
まず、図１０に示すように、第２鏡筒分割体１２０４と第３鏡筒分割体１２０６とを、部品収容空間１２０４Ａ内で第２鏡筒分割体１２０４側から挿通された雄ねじ２０４により、詳細には部品収容空間１２０４Ａ内で上壁１２０５を挿通して第３鏡筒分割体１２０６に挿通された雄ねじ２０４により締結する。本実施例では、この雄ねじ２０４は第３鏡筒分割体１２０６を挿通して第１鏡筒分割体１２０２に締結され、したがって、雄ねじ２０４により第２鏡筒分割体１２０４とともに第３鏡筒分割体１２０６が第１鏡筒分割体１２０２に締結される。このような雄ねじ２０４の配設により、部品収容空間１２０４Ａ内で上壁１２０５の下面１２０５Ａには雄ねじ２０４の頭部２０４Ａが位置する。
次に、図２３に示すように、第２鏡筒分割体１２０４の開口１２１０から雌ねじ部材４８を挿入し、雌ねじ部材４８の第２軸４８１２を第２フランジ２０１７の軸受孔２０１７Ａに挿入する。この場合、軸受孔２０１７Ａの長手方向が一致された状態となっているため、第２軸４８１２の細長部４８１３は軸受孔２０１７Ａに収容される。
この状態で、図２４に示すように、雌ねじ部材４８を第１、第２フランジ２０１６、２０１７の間に押込み、第１軸４８１０を第１フランジ２０１６の軸受孔２０１６Ａに臨ませる。
【００２６】
次いで、図２５に示すように、雌ねじ部材４８を上方に動かし第１軸４８１０の軸部４８０６を第１フランジ２０１６の軸受孔２０１６Ａに挿入させる。この際、第２軸４８１２の傾斜部４８０８と第２フランジ２０１７の軸受孔２０１７Ａの縁部との間には隙間が形成されている。
次に、図２６に示すように、雌ねじ部材４８を上方に位置させた状態で、雌ねじ部材４８を第１、第２軸４８１０、４８１２を中心に９０度揺動させ、雌ねじ部材４８の雌ねじ４８０４を第２鏡筒分割体１２０４の欠部１２０４Ｅの外方に向ける。
すると、第２軸４８１２の細長部４８１３の長手方向と軸受孔２０１７Ａの長手方向が直交し、第２軸４８１２の傾斜部４８０８が第２フランジ２０１７の軸受孔２０１７Ａの長手方向と直交する２つの縁部に当て付けられた状態となり、これにより雌ねじ部材４８の第１、第２軸４８１０、４８１２の軸線方向の位置が保持される。したがって、第１軸４８１０の軸部４８０６が第１フランジ２０１６の軸受孔２０１６Ａに支持され、かつ、第２軸４８１２の軸部４８１４が第２フランジ２０１７の軸受孔２０１７Ａに支持された状態が保持される。これにより、雌ねじ部材４８の姿勢が安定し、後述する雌ねじ４８０４への雄ねじ部材３４０６の螺合が容易となる。
【００２７】
次に、雄ねじ部材３４０６とモータ３４０４を支持したホルダ３４０２を、欠部１２０４Ｅから雄ねじ部材３４０６が部品収容空間１２０４Ａ内に挿入され雄ねじ部材３４０６が雌ねじ４８０４に螺合するように欠部１２０４Ｅに取着する。より詳細にはホルダ３４０２の本体板部３４０７を欠部１２０４Ｅの縁にねじ２０８で取着し、本体板部３４０７により欠部１２０４Ｅを閉塞する。
これにより雄ねじ部材３４０６が部品収容空間１２０４Ａ内で雌ねじ４８０４に螺合し、モータ３４０４は第２鏡筒分割体１２０４の下部に位置し、支持板３４０８は部品収容空間１２０４Ａ内で上壁１２０５の下面１２０５Ａの直下に位置する。
したがって、部品収容空間１２０４Ａ内で上壁１２０５の下面１２０５Ａには、第１乃至第３鏡筒分割体１２０２、１２０４、１２０６を締結する雄ねじ２０４の頭部２０４Ａと、ホルダ３４０２の支持板３４０８が位置し、また、フォーカス用可動レンズ群２０の光軸方向に沿った位置によっては雌ねじ部材４８も上壁１２０５の下面１２０５Ａの近傍に位置することになる。
なお、雄ねじ２０４により第２鏡筒分割体１２０４を第３鏡筒分割体１２０６および第１鏡筒分割体１２０２に締結する前に、雌ねじ部材４８をフォーカス用レンズ枠２０１６の第１、第２のフランジ２０１６、２０１７に取付けてもよく、この場合には、雄ねじ２０４により第２鏡筒分割体１２０４を第３鏡筒分割体１２０６および第１鏡筒分割体１２０２に締結する際に、雌ねじ部材４８を第１、第２軸４８１０、４８１２を中心として揺動させ、雌ねじ部材４８を開口１２１０内に退避させておけばよい。
【００２８】
次に作用効果について説明する。
部品収容空間１２０４Ａの上端に、すなわち上壁１２０５の下面１２０５Ａに、第１乃至第３鏡筒分割体１２０２、１２０４、１２０６を締結する雄ねじ２０４の頭部２０４Ａが位置し、ホルダ３４０２の支持板３４０８が位置する。
また、フォーカス用可動レンズ群３０に連結された雌ねじ部材４８が、その光軸方向に沿った位置によっては部品収容空間１２０４Ａ内で上壁１２０５の下面１２０５Ａに近接する。
一方、ホルダ３４０２の欠部１２０４Ｅから部品収容空間１２０４Ａへの装脱を円滑に行なえるように、図１０に示すように、支持板３４０８の上面と上壁１２０５の下面１２０５Ａとの間には隙間Ａを確保しておく必要がある。
また、フォーカス用可動レンズ群３０を移動させるために雌ねじ部材４８が支持板３４０８の下面に最も近接した位置を雌ねじ部材４８の上限位置とすると、部品収容空間１２０４Ａ内で上限位置に位置した雌ねじ部材４８と支持板３４０８の下面との間には、雌ねじ部材４８との衝突を防止するための空間を確保しておく必要がある。
したがって、上限位置に位置した雌ねじ部材４８と上壁１２０５の下面１２０５Ａとの間には、前記隙間Ａに前記空間の高さを加えた隙間Ｂが必然的に生まれ、部品収容空間１２０４Ａ内で雌ねじ部材４８の上方の隙間Ｂはデッドスペースとなる。
本実施例では、雌ねじ部材４８と支持板３４０８と雄ねじ２０４とは、図１５に示すように光学系１０４の光軸方向と平行する方向から見て雄ねじ２０４の頭部２０４Ａの輪郭と雌ねじ部材４８の輪郭とが重複し、かつ、雄ねじ２０４の頭部２０４の輪郭が支持板３４０８の輪郭の外側に位置するように配置されている。
したがって、本実施例によれば、デッドスペースである雌ねじ部材４８の上方の隙間Ｂを利用して、第１乃至第３鏡筒分割体１２０２、１２０４、１２０６を締結する雄ねじ２０４の頭部２０４Ａが支持板３４０８に干渉することなく部品収容空間１２０４Ａ内に配置されており、光軸方向に沿った部品収容空間１２０４Ａの長さおよび第２鏡筒分割体１２０４の長さを短縮し、これによりレンズ鏡筒をコンパクト化する上で有利となる。
また、雄ねじ２０４は部品収容空間１２０４Ａ内に配置されるので、第１乃至第３鏡筒分割体１２０２、１２０４、１２０６締結用の雄ねじ２０４を配設するにあたり、第１乃至第３鏡筒分割体１２０２、１２０４、１２０６に光軸方向と直交する方向に突出するフランジなどの突出部を設ける必要が無くなり、したがって、鏡筒の小型化を図る上で、また、鏡筒を撮像装置に組み込む際に鏡筒周囲に生じるデッドスペースを無くす上で有利となる。
また、本実施例では、雌ねじ部材４８をフォーカス用レンズ枠２００６に着脱可能に取着する構成としたため、雌ねじ部材４８の交換が必要となった際に、その交換作業を容易に行なうことができる。
また、本実施例では、第２鏡筒分割体１２０４に雌ねじ部材４８をフォーカス用レンズ枠２００６に着脱するための開口１２１０を設けたので、第２鏡筒分割体１２０４内にフォーカス用可動レンズ群２０や案内機構３０を組み込んだ後で、雌ねじ部材４８のフォーカス用レンズ枠２００６への取着を行なうことができる。したがって、第２鏡筒分割体１２０４にフォーカス用可動レンズ群２０、案内機構３０を組み込む際に、雌ねじ部材４８が作業の邪魔になることなく、組立作業の効率化を図る上で有利となる。
【００２９】
なお、本実施例においては、撮像装置としてデジタルスチルカメラを例示したが、本発明はビデオカメラやテレビカメラなど撮像装置に無論適用可能である。
【図面の簡単な説明】
【００３０】
【図１】実施例１の撮像装置を前方から見た斜視図である。
【図２】実施例１の撮像装置を後方から見た斜視図である。
【図３】実施例１の撮像装置を下方から見た斜視図である。
【図４】メモリカードおよびバッテリーの収容状態を説明する説明図である。
【図５】撮像装置の制御系を示すブロック図である。
【図６】レンズ鏡筒１０を斜め前方から見た斜視図である。
【図７】レンズ鏡筒１０を斜め後方から見た斜視図である。
【図８】レンズ鏡筒１０の一部の構成を示す分解斜視図である。
【図９】レンズ鏡筒１０の残りの構成を示す分解斜視図である。
【図１０】図６のＸＸ線断面図である。
【図１１】図６のＹＹ線断面図である。
【図１２】レンズ鏡筒１０の左側部分の断面斜視図である。
【図１３】レンズ鏡筒１０の右側部分の断面斜視図である。
【図１４】第１鏡筒分割体１２０２の横断面図である。
【図１５】第２鏡筒分割体１２０４の横断面図である。
【図１６】ズーム用可動レンズ群１８、フォーカス用可動レンズ群２０の斜視図である。
【図１７】第２鏡筒分割体１２０４の要部の断面斜視図である。
【図１８】第１鏡筒分割体１２０２、第２鏡筒分割体１２０４、第３鏡筒分割体１２０６の断面図である。
【図１９】雌ねじ部材４８の斜視図である。
【図２０】雌ねじ部材４８の説明図である。
【図２１】フォーカス用レンズ枠２００６と雌ねじ部材４８の組立説明図である。
【図２２】雌ねじ部材４８の第２軸４８１２とフォーカス用レンズ枠２００６の第２フランジ２０１７の説明図である。
【図２３】雌ねじ部材４８のフォーカス用レンズ枠２００６への組立説明図である。
【図２４】雌ねじ部材４８のフォーカス用レンズ枠２００６への組立説明図である。
【図２５】雌ねじ部材４８のフォーカス用レンズ枠２００６への組立説明図である。
【図２６】雌ねじ部材４８のフォーカス用レンズ枠２００６への組立説明図である。
【符号の説明】
【００３１】
１００……撮像装置、１０４……光学系、１２８……撮像素子、１２０４……第２鏡筒分割体、１２０４Ａ……部品収容空間、１２０４Ｅ……欠部、１２０５……上壁、１２０５Ａ……下面、１２０６……第３鏡筒分割体、２０……フォーカス用可動レンズ群、３０……案内機構、３４……駆動手段、３４０２……ホルダ、３４０４……モータ、３４０６……雄ねじ部材、３４０８……支持板、４８……雌ねじ部材、２０４……雄ねじ、２０４Ａ……頭部。
【図１】
2005122066.tif 000003
【図２】
2005122066.tif 000004
【図３】
2005122066.tif 000005
【図４】
2005122066.tif 000006
【図５】
2005122066.tif 000007
【図６】
2005122066.tif 000008
【図７】
2005122066.tif 000009
【図８】
2005122066.tif 000010
【図９】
2005122066.tif 000011
【図１０】
2005122066.tif 000012
【図１１】
2005122066.tif 000013
【図１２】
2005122066.tif 000014
【図１３】
2005122066.tif 000015
【図１４】
2005122066.tif 000016
【図１５】
2005122066.tif 000017
【図１６】
2005122066.tif 000018
【図１７】
2005122066.tif 000019
【図１８】
2005122066.tif 000020
【図１９】
2005122066.tif 000021
【図２０】
2005122066.tif 000022
【図２１】
2005122066.tif 000023
【図２２】
2005122066.tif 000024
【図２３】
2005122066.tif 000025
【図２４】
2005122066.tif 000026
【図２５】
2005122066.tif 000027
【図２６】
2005122066.tif 000028